(57)【要約】【課題】マイナスイオン発生器を設置した石油燃焼温風暖房機において、マイナスイオン発生器の電極で発生したマイナスイオンがそのまま収納ケース及び前面上板の内側開口、外側開口を通して装飾プレートの放出口から本体の前面に放出され、室内に拡散されて室内空間をマイナスイオンで充満し、採暖者に疲労防止、疲労回復、爽快感等人体への好影響、快適性を与えるようにする。【解決手段】本体１の前面上板１ａと燃焼室４との空間部６にマイナスイオン発生器７の電極８を収納する収納ケース９を設置し、この収納ケース９の前面側及び前面上板１ａに内側開口１０と外側開口１１を設け、さらに、収納ケース９を帯電防止処理を施した合成樹脂製の電気絶縁材料により成形した。【選択図】　図１
2004132631.tif 000002
【特許請求の範囲】
【請求項１】
石油燃焼温風暖房機の本体（１）と、この本体（１）内の下部に設置された燃焼部（３）と、この燃焼部（３）を内蔵する燃焼室（４）と、本体（１）の背面側に設置してその送風通路（２ａ）を燃焼室（４）に連ねた送風機（２）と、本体（１）の前面に配置された温風吹出口（５）とよりなる石油燃焼温風暖房機において、前記本体（１）の前面上板（１ａ）と燃焼室（４）との空間部（６）にマイナスイオン発生器（７）の電極（８）を収納する収納ケース（９）を設置し、この収納ケース（９）の前面側及び前面上板（１ａ）に内側開口（１０）と外側開口（１１）を設け、さらに、収納ケース（９）を帯電防止処理を施した合成樹脂製の電気絶縁材料により成形したことを特徴とする石油燃焼温風暖房機。
【請求項２】
前面上板（１ａ）の外側開口（１１）と対向した前面上板（１ａ）の前面に放出口（１３）を有する装飾プレート（１２）を取付け、この装飾プレート（１２）を帯電防止処理を施した合成樹脂製の電気絶縁材料により成形したことを特徴とする請求項１記載の石油燃焼温風暖房機。
【発明の詳細な説明】
【０００１】
【発明の属する技術分野】
本発明は、放電式のマイナスイオン発生器を具備した石油燃焼温風暖房機（以下石油ファンヒータという）に関するものである。
【０００２】
【従来の技術】
【特許文献１】
特開平１１−２１１２３６号公報
石油ファンヒータは石油燃料をガス化し、それを燃焼させることにより発生した熱を送風機によって本体外に放出し、室内の暖房を行なう機器である。
【０００３】
近年、この石油ファンヒータに疲労防止、疲労回復、爽快感等人体への好影響、快適性を増す目的で、マイナスイオン発生器を内蔵することが考えられている。
【０００４】
このマイナスイオン発生器を内蔵したものとして特開平１１−２１１２３６号公報が公知である。
【０００５】
このものは、多数の通気孔を有する収納体のなかに角閃石その他のセラミックスを混合したものを収納してマイナスイオン発生器を構成し、これを本体前面の温風吹出口より内側の送風経路に設置し、このマイナスイオン発生器に温風を接触させて室内に放出するものである。
【０００６】
しかしこのものは、マイナスイオンの発生量が少なく、人体への好影響、快適性を増す効果に疑問があるため、これに代わるものとして針状の電極に高電圧を印加することによりマイナスイオンを発生させる放電式マイナスイオン発生器の実用化が検討され、一部で発表もされている。
【０００７】
この石油ファンヒータを図４により説明する。
【０００８】
図において、１は石油ファンヒータの本体、２はこの本体１の背面側に設置された送風機、３は本体１内の下部に設置された燃焼部である。
【０００９】
４は燃焼室で、燃焼部３を内蔵するとともに、上部に送風機２の送風通路２ａを連ねてあり、送風機２により燃焼室４内に取り入れた室内の空気と燃焼部３からの燃焼排ガスを混合するところである。
【００１０】
５は本体１の前面下部に配置された温風吹出口で、前記室内の空気と燃焼排ガスを混合し、温風にして室内に放出するものである。
【００１１】
７はマイナスイオン発生器で、本体１の前面上板１ａの内側と燃焼室４の外側上部との空間部６に収納されている。８はその電極で、室内にマイナスイオンを拡散させるために燃焼部３の前側で、かつ、温風吹出口５の上部の温風が通る場所に配置されている。
【００１２】
以上の構成において、燃焼部３で燃焼を行なわせるとともに、送風機２を駆動すると、燃焼排ガスと送風機２からの室内空気が燃焼室４の上部で混合し、温風となって温風吹出口５より本体１の前面に放出する。
【００１３】
次に、この暖房運転中にマイナスイオン発生器７を動作させると、電極８間に高電圧が印加され、放電現象によってマイナスイオンが発生する。そして、このマイナスイオンは燃焼室４から温風吹出口５を通して本体１の前面に放出される温風とともに、本体１の前面に放出され、室内に拡散する。
【００１４】
周知のように、イオンは電子を帯びた超微粒子であり、プラスイオンやマイナスイオンとして空気中に存在し、人体に様々な作用を及ぼすと言われている。例えば、プラスイオンの場合には細胞にダメージを与える活性酸素剤になる他、血液中の水素イオン濃度を高めて血液を酸性化する等により新陳代謝に悪影響を及ぼす。このプラスイオンの発生源としてはコンピュータ、冷暖房機、テレビその他の電子機器等があげられ、石油ファンヒータにおいても灯油を燃焼させた炎、即ち、炭化水素から多くのイオンが発生しており、多いイオンはＨ３Ｏ＋で、１０９〜１０１２イオン／ｃｍ３の発生量があり、このＨ３Ｏ＋イオンが温風吹出口５から室内に放出されていた。
【００１５】
逆にマイナスイオンは先に述べたように疲労防止、疲労回復、爽快感等人体への好影響、快適性を与えるものである。
【００１６】
【発明が解決しようとする課題】
上記従来の石油ファンヒータにおいて、灯油を燃焼させた炎、即ち、炭化水素は室内空気を暖めるために必要不可欠なものである。
【００１７】
しかし、石油ファンヒータの本体１から室内に放出されるイオンの多くはＨ３Ｏ＋で、このイオンは空気中の水分子と結びつくとプラスイオンとなり、細胞にダメージを与える活性酸素剤になる他、血液中の水素イオン濃度を高めて血液を酸性化する等により人体に悪影響を及ぼすものとなっていた。
【００１８】
また、プラスイオンは室内に多く存在することによりマイナスイオンが減少し、室内のイオンバランスを崩すものとなっていた。
【００１９】
【課題を解決するための手段】
本発明は上記従来の課題を解決するためになされたもので、具体的には、石油燃焼温風暖房機の本体と、この本体内の下部に設置された燃焼部と、この燃焼部を内蔵する燃焼室と、本体の背面側に設置してその送風通路を燃焼室に連ねた送風機と、本体の前面に配置された温風吹出口とよりなる石油燃焼温風暖房機において、前記本体の前面上板と燃焼室との空間部にマイナスイオン発生器の電極を収納する収納ケースを設置し、この収納ケースの前面側及び前面上板に内側開口と外側開口を設け、さらに、収納ケースを帯電防止処理を施した合成樹脂製の電気絶縁材料により成形したものである。
【００２０】
また、前面上板の外側開口と対向した前面上板の前面に放出口を有する装飾プレートを取付け、この装飾プレートを帯電防止処理を施した合成樹脂製の電気絶縁材料により成形したものである。
【００２１】
これによって、燃焼温風暖房機の使用中に室内空間を急速にマイナスイオンで充満し、冬場の締め切った室内の採暖者に疲労防止、疲労回復、爽快感等人体への好影響、快適性を与えるものである。
【００２２】
【実施例】
本発明の一実施例を添付図面に従って説明する。
【００２３】
図１、図２及び図３において、１は石油ファンヒータの本体、２はこの本体１の背面側に設置された送風機、３は本体１内の下部に設置された燃焼部である。
【００２４】
４は燃焼室で、燃焼部３を内蔵するとともに、上部に送風機２の送風通路２ａを連ねてあり、送風機２より送風通路２ａを通して燃焼室４内に取り入れた室内の空気と燃焼部３からの燃焼排ガスを混合するところである。
【００２５】
５は本体１の前面下部に配置された温風吹出口で、前記室内の空気と燃焼排ガスの混合ガスを温風にして室内に放出するものである。
【００２６】
６は本体１の前面上板１ａの内側と燃焼室４の外側上部との間に形成された空間部で、この空間部６は前記送風機２の送風通路２ａとほぼ遮断された状態となっており、送風機２からの室内空気が中に流入しないようにしてある。
【００２７】
７は放電式のマイナスイオン発生器、８はマイナスイオン発生器７に接続された電極で、図示したようにマイナスイオン発生器７とともに、又は単独で空間部６内に設置された収納ケース９内に収納され、電極８間に高電圧が印加されるとマイナスイオンを発生する。
【００２８】
また、収納ケース９は、前記したマイナスイオンの発生を阻害しないように、帯電防止処理を施した合成樹脂製の電気絶縁材料（例えばＡＢＳ樹脂に帯電防止材料として炭素粉末等を添加したもの）により成形されている。
【００２９】
なお、前記マイナスイオン発生器７は収納ケース９とは別に設置してもよい。
【００３０】
１０、１１は温風吹出口５の上部近傍に位置するように収納ケース９の前面及び本体１の前面上板１ａに設けられた内側開口及び外側開口である。
【００３１】
１２は装飾プレートで、外側開口１１のある前面上板１ａの前面に取り付けられ、外側開口１１と対向した位置に放出口１３を設けている。
【００３２】
この装飾プレート１２は収納ケース９と同様にマイナスイオンの放出を阻害しないように、帯電防止処理を施した合成樹脂製の電気絶縁材料により成形されている。また、この装飾プレート１２は必ずしも設ける必要はないが、設けない場合には外側開口１１のある前面上板１ａに帯電防止処理を施せばよい。
【００３３】
次にその動作を説明する。
【００３４】
燃焼部３で燃焼が行われ、送風機２が駆動すると、燃焼排ガスと送風機２からの室内空気が燃焼室４の上部で混合し、温風となって温風吹出口５から本体１の前面に放出する。
【００３５】
次に、この暖房運転中にマイナスイオン発生器７を動作させると、電極８に高電圧が印加され、放電現象によってマイナスイオンが発生する。
【００３６】
そして、この発生したマイナスイオンは収納ケース９及び前面上板１ａの内側開口１０と外側開口１１を通して装飾プレート１２の放出口１３から本体１の前面に放出される。
【００３７】
このとき、マイナスイオン発生器７の電極８を収納する収納ケース９やマイナスイオンが放出される装飾プレート１２は一般的なＡＢＳ樹脂等で成形した場合には絶縁体ではあるものの、その表面抵抗値が１×１０１６Ωと大きく、イオンが帯電する。そして、プラスに帯電した場合にはプラスイオンと電極８で発生するマイナスイオンとが引き合い装飾プレート１２の放出口１３からのマイナスイオンの放出量が少なくなる。
【００３８】
上記したように、イオンは電子を帯びた超微粒子であり、プラスイオンやマイナスイオンとして空気中に存在し、人体に様々な作用を及ぼすと言われている。例えばプラスイオンの場合には細胞にダメージを与える活性酸素剤になる他、血液中の水素イオン濃度を高めて血液を酸性化する等により新陳代謝に悪影響を及ぼす。逆にマイナスイオンは先に述べたように疲労防止、疲労回復、爽快感等人体への好影響、快適性を与える。
【００３９】
そこで、本実施例では収納ケース９と装飾プレート１２を帯電防止処理を施した合成樹脂製の電気絶縁材料で成形したものであり、これによってその表面抵抗値が１×１０１１Ωと小さくなり、イオンが帯電しにくくなる。このため、プラスイオンとマイナスイオンとの引き合いが小さくなり、図２に示すように電極８で発生したマイナスイオン１４がそのまま収納ケース９及び前面上板１ａの内側開口１０、外側開口１１を通して装飾プレート１２の放出口１３から本体１の前面に放出され、室内に拡散されて室内空間をマイナスイオンで充満し、人体へ好影響、快適性を与えるものである。
【００４０】
【発明の効果】
以上説明したように、本発明は放電式のマイナスイオン発生器を設置した石油温風暖房機において、マイナスイオン発生器の電極を収納する収納ケースを帯電防止処理を施した合成樹脂製の電気絶縁材料により成形したものであり、また、前面上板の外側開口と対向した前面上板の前面に放出口を有する装飾プレートを取付け、この装飾プレートを帯電防止処理を施した合成樹脂製の電気絶縁材料により成形したものである。
【００４１】
これによって、マイナスイオン発生器の電極で発生したマイナスイオンがそのまま収納ケース及び前面上板の内側開口、外側開口を通して装飾プレートの放出口から本体の前面に放出され、室内に拡散されて室内空間をマイナスイオンで充満し、採暖者に疲労防止、疲労回復、爽快感等人体への好影響、快適性を与えるものである。
【図面の簡単な説明】
【図１】本発明の一実施例を示す石油燃焼温風暖房機の概略縦断面図である。
【図２】同マイナスイオン発生部の概略縦断面図である。
【図３】同石油燃焼温風暖房機の斜視図である。
【図４】従来例の石油燃焼温風暖房機の概略縦断面図である。
【符号の説明】
１　　本体
２　　送風機
３　　燃焼部
４　　燃焼室
５　　温風吹出口
６　　空間部
７　　マイナスイオン発生器
８　　電極
９　　収納ケース
１０　　内側開口
１１　　外側開口
１２　　装飾プレート
１３　　放出口
【図１】
2004132631.tif 000003
【図２】
2004132631.tif 000004
【図３】
2004132631.tif 000005
【図４】
2004132631.tif 000006